(57)【要約】【課題】  体格に対応したズボン下着をはくことで、歩行等の膝関節屈曲時において膝関節前面部がズボン下着の摩擦や圧迫を受けることがなく、屈曲時にエネルギー負荷を軽減することができる膝部保護用ズボン下着を提供する。【解決手段】  膝部保護用ズボン下着１は、体格に応じた各種サイズで形成されて装着した人体の膝関節Ｎの前面部に対応する位置に開口部２を形成し、この開口部２は上記前面部の横半分が横一文字となるよう形成され、膝関節Ｎの屈曲時には上記横一文字の開口部２中央が上記ズボン下着１の摩擦力で縦長に拡開するように構成されており、歩行時などに膝関節Ｎを屈曲する際にズボン下着から受ける膝部の負担を軽減するようにした。【選択図】  図１
2008013883.tif 000002
【特許請求の範囲】
【請求項１】
歩行時などに膝関節部を屈曲する際にズボン下着から受ける膝部の負担を軽減するようにした膝部保護用ズボン下着であって、
上記膝部保護用ズボン下着は、人体の膝関節の前面部に対応する位置に開口部を形成し、該開口部は上記前面部の横半分を横一文字となるよう形成したことを特徴とする膝部保護用ズボン下着。
【請求項２】
上記膝部保護用ズボン下着は、体格に応じたサイズで形成されて少なくとも膝下までの長さを有し、人体装着時における上記開口部位置が膝頭の少なくとも略上方に位置し、上記膝関節の屈曲時には上記横一文字の開口部中央が摩擦力で縦長に拡開することを特徴とする請求項１に記載の膝部保護用ズボン下着。
【発明の詳細な説明】
【技術分野】
【０００１】
本発明は、歩行時などに膝関節部を屈曲する際にズボン下着から受ける膝部の負担を軽減するようにした膝部保護用ズボン下着に関する。
【背景技術】
【０００２】
従来より、人体の膝部を外力や外部からの衝撃から保護し、膝部の関節運動を補完する膝部保護用の下着として、膝サポータや自前の膝保護具、ズボン下着などに必要に応じて装着することができる膝頭保護用の膝当てと、使用者の個人差に応じて最適位置に膝当てを着脱可能に装着するようにしたものが知られている（特許文献１参照）。
【０００３】
この膝部保護用の下着は、膝当てが伸縮弾性素材から成る略方形の表基布の裏側のほぼ中央に当て布との袋部内に膝頭を遊嵌する円形の孔を中央部に備えた上下に長い小判形の柔軟な緩衝用パッドを収容保持し、上記膝当てが、膝サポータの膝下部分と膝上部分との正面中間部位に形成された円形孔を被うように上記表基布の内側周囲上下左右の4箇所に設けられたファスナー片によって装着されている。
【０００４】
この膝サポータは、伸縮弾性素材を使用して膝下部分が筒状を成し、膝上部分が開放帯状で、帯状部分が相互に重ねて解放可能なファスナーを介して連結でき、膝上部分を締め付けが調整可能となっており、正面中間部位に略円形孔を形成した膝サポータの両側面には伸縮可能なコイルボーンが逢着されている。
【０００５】
【特許文献１】登録実用新案第３０２２２９０号公報
【発明の開示】
【発明が解決しようとする課題】
【０００６】
ところで、上記の膝部保護用の下着は、上記膝サポータの膝下部分と膝上部分との正面中間部位に形成された円形孔を被うように緩衝用パッドを収容保持した膝当てがファスナー片によって着脱可能に装着されて、上記円形の孔が膝頭が個人差に応じて適正な位置に遊嵌できるように位置決めできるようになっている。
【０００７】
これにより、使用者の膝頭を衝撃から保護しつつ膝部の関節運動をも補完することができるようにしたものであるが、上記膝サポータは、膝当てを膝頭に対して適正に位置決めするために、筒状に形成された膝下部分を足先からはいて膝下に止めた状態で膝上部分をファスナーで帯状部分を膝上で締め付け、コイルボーンの弾力によって膝サポータのフィット性を高めるになっていることから、健常者でも膝部の上下部が常時締め付けられてその部位が圧迫されて血流が悪くなるだけでなく、介護が必要な高齢者などは自ら装着したり、膝当てを適正な位置に位置決めすることが困難となる問題を有している。
【０００８】
本発明は、このような要望に着目してなされたもので、体格に対応したズボン下着をはくことで、歩行等の膝関節屈曲時において膝関節前面部がズボン下着の摩擦や圧迫を受けることがなく、屈曲時にエネルギー負荷を軽減することができる膝部保護用ズボン下着を提供することを目的とする。
【課題を解決するための手段】
【０００９】
上記目的を解決するために、本発明の請求項１に記載の膝部保護用ズボン下着は、歩行時などに膝関節部を屈曲する際にズボン下着から受ける膝部の負担を軽減するようにした膝部保護用ズボン下着であって、上記膝部保護用ズボン下着は、人体の膝関節の前面部に対応する位置に開口部を形成し、該開口部は上記前面部の横半分を横一文字となるよう形成したことを特徴とする膝部保護用ズボン下着である。
上記の膝部保護用ズボン下着によれば、歩行などで膝関節部を屈曲する際に、膝関節前面部の横半分に形成された横一文字となる開口部がズボン下着の摩擦力により上下に引張られて拡開される。
【００１０】
本発明の請求項２に記載の膝部保護用ズボン下着は、体格に応じたサイズで形成されて少なくとも膝下までの長さを有し、人体装着時における上記開口部位置が膝頭の少なくとも略上方に位置し、上記膝関節の屈曲時には上記横一文字の開口部中央が摩擦力で縦長に拡開することを特徴とする膝部保護用ズボン下着である。
上記の膝部保護用ズボン下着によれば、体格に対応したサイズの膝部保護用ズボン下着を装着して歩行などにより膝関節を屈曲した際に、膝頭の略上方に位置する横一文字の開口部中央が縦長に拡開した時、上記膝頭が拡開した開口に対応する。
【発明の効果】
【００１１】
本発明は以下の効果を奏する。
【００１２】
請求項１に記載の発明によれば、膝関節部を屈曲する際に、膝関節前面部の横半分に形成された横一文字となる開口部がズボン下着の摩擦力により上下に引張られて適切な大きさに拡開するので、膝関節の前面部が摩擦や圧迫を受けることがなく、膝屈曲時のエネルギー負荷を軽減することができる。
【００１３】
請求項２に記載の発明によれば、体格に対応したサイズの膝部保護用ズボン下着を装着して膝関節を屈曲した際に、膝頭の略上方に位置する横一文字の開口部中央が縦長に拡開した開口部に上記膝関節前面が適切に対応するので、運動能力が低下した人でも膝関節の屈曲運動が阻害されることなく無負荷に近い状態で運動が可能となる。
【発明を実施するための最良の形態】
【００１４】
本発明の実施例を以下に説明する。
【００１５】
図１、図２には、本発明の実施例が示されている。図１は実施例に係る人体の下半身に膝部保護用ズボン下着を装着した状態を示す正面図、図２は膝部保護用ズボン下着を装着した使用者の膝関節部を屈曲した状態を示す斜視図である。
【００１６】
図１において、１は膝部保護用ズボン下着（以下長ズボン下着と称する）を示し、この長ズボン下着１は、体格に応じた各種サイズで形成されており、この長ズボン下着１を下半身に装着したとき、起立状態における左右脚部ＬＦ，ＲＦの両膝関節Ｎの前面部に横一文字の開口部２がそれぞれ対応するようになっており、これら開口部２は、膝関節前面部に対応する横半分に形成されていて開口内周縁にはステッチなどで縫製した逢着部４が形成されている。
【００１７】
更に、上記長ズボン下着１は、人体装着時における上記開口部２の位置が膝関節Ｎ前面の略膝頭上方に位置しており、膝関節Ｎが伸張した起立時における開口部２は、上下間隔ｈが極めて短く横長となる横一文字に形成されている。
【００１８】
そこで、図２に示すように例えば左脚部ＬＦの膝関節Ｎを屈曲した状態では、上記開口部２の中央部間隔Ｈが摩擦力で縦方向下方に一定量まで拡開し上記膝頭に対応する横長楕円形が形成される。
【００１９】
このように、上記の膝部保護用ズボン下着１によれば、歩行時や階段を上下する時に膝関節Ｎが屈曲されると、膝関節Ｎ前面部の横半分に形成された横一文字の開口部が、ズボン下着の摩擦力により上下に引張られて適切な大きさの横長楕円形に拡開するので、膝関節Ｎの前面部が摩擦や圧迫を受けることがなく、膝屈曲時のエネルギー負荷が軽減されて膝関節Ｎが曲がり易く脚部ＬＦ，ＲＦの上下運動を楽に行うことができる。
【００２０】
また、体格に対応したサイズの膝部保護用ズボン下着１装着して膝関節Ｎ屈曲した際に、膝頭の略上方に位置する横一文字の開口部２中央が縦長に拡開した時、拡開した開口部２に膝関節Ｎの前面が適切に対応するので、健常者や運動能力が低下した人でも膝関節の屈曲運動が阻害されることなく無負荷に近い状態で運動することができるため、膝関節Ｎと股関節の疲労が軽減される効果を有する。
【００２１】
一方、身体の下半身で最も敏感に寒さを感じる部位が、膝から下腹部、特に膝関節Ｎから大腿前部の大腿直筋と外側の大腿筋幕張筋の筋肉部であり、また下腹部の冷えは不健康の原因となることから、図１に示されるように厚い羊毛の保温布から成る保温布６が、上記長ズボン下着１内側の上記開口部２の上部から股関節上部の大腿部前面に対応する領域に逢着されている。これにより、大腿部と下腹部の保温効果が極めて高くなり、上記開口部２から入る冷気を遮断することができる。
【００２２】
次に、図３は膝部保護用ズボン下着の変形例として股引きを使用した場合であって、この膝部保護用ズボン下着を装着した使用者の膝関節部を屈曲した状態を示す斜視図である。なお、上記の構成部分と同一構成部分は同一符号を付してその説明を省略する。
【００２３】
図３において、１１は股引きを膝部保護用ズボン下着（以下長ズボン下着と称する）として使用したものであって、この長ズボン下着１１は、体格に応じた各種サイズで形成されており、この長ズボン下着１１を下半身に装着したとき、起立状態における例えば左脚部ＬＦの前面部に横一文字の開口部２がそれぞれ対応するようになっている。
【００２４】
また、図４は膝部保護用ズボン下着の変形例としてステテコを使用した場合であって、この膝部保護用ズボン下着を装着した使用者の膝関節部を屈曲した状態を示す斜視図である。
【００２５】
図４において、２１はステテコを膝部保護用ズボン下着（以下半ズボン下着と称する）として使用したものであって、この半ズボン下着２１は、体格に応じた各種サイズで形成されており、この半ズボン下着２１を下半身に装着したとき少なくとも膝下までの長さを有しており、起立状態における例えば左脚部ＬＦの前面部に横一文字の開口部２がそれぞれ対応するようになっている。
【００２６】
なお、上記の股引きを使用した長ズボン下着１１、並びにステテコを使用した半ズボン下着２１は、両膝関節Ｎの前面部に横一文字の開口部２をそれぞれ対応するように形成した上記長ズボン下着１と同一作用効果を有しておりその説明は省略する。
【図面の簡単な説明】
【００２７】
【図１】本発明の実施例に係る人体の下半身に膝部保護用ズボン下着を装着した状態を示す正面図である。
【図２】同じく膝部保護用ズボン下着を装着した使用者の膝関節部を屈曲した状態を示す斜視図である。
【図３】膝部保護用ズボン下着の変形例として股引きを使用した場合であって、この膝部保護用ズボン下着を装着した使用者の膝関節部を屈曲した状態を示す斜視図である。
【図４】膝部保護用ズボン下着の変形例としてステテコを使用した場合であって、この膝部保護用ズボン下着を装着した使用者の膝関節部を屈曲した状態を示す斜視図である。
【符号の説明】
【００２８】
１，１１            長ズボン下着（膝部保護用ズボン下着）
２                  開口部
４                  逢着部
６                  保温布
２１                半ズボン下着（膝部保護用ズボン下着）
ＬＦ                左脚部
ＲＦ                右脚部
Ｎ                  膝関節
【図１】
2008013883.tif 000003
【図２】
2008013883.tif 000004
【図３】
2008013883.tif 000005
【図４】
2008013883.tif 000006